【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
４つの同一の凸状切り刃と、これらの凸状切り刃を結合している４つの同一の鼻状コーナーとを含む頂面であって、前記凸状切り刃の各々が曲線状の切り刃領域と当該曲線状の切り刃領域に隣接した第一のほぼ直線状の切り刃領域とを含み、前記曲線の各々の半径が当該頂面に内接する最も大きな円の半径の２倍に等しいか又はより大きいようになされている前記頂面と、
底部端縁を含んでいる底面と、
４つの同一の側面であって、当該側面の各々が前記凸状の切り刃と前記底部端縁との間に延びており、各側面が、
前記曲線状の切り刃領域から前記底部端縁に向かって延びている第一の円錐形のクリアランス面と、
第一のほぼ直線状の切り刃領域から前記底部端縁に向かって延びている第一の平らなファセットとを含んでいる、前記側面と、
前記鼻状コーナーの各々から前記底部端縁に向かって延びている第二の円錐形のクリアランス面と、を含み、
フライス加工工具のインサートポケット内に取り付けられたときに、前記第一のほぼ直線状の切り刃領域が前記フライス加工工具の切削軸線に対してほぼ直角な方向に延びるようになされた、切削インサート。
【請求項２】
請求項１に記載の切削インサートであって、
前記底部端縁の外周が前記頂面の外周よりも小さい切削インサート。
【請求項３】
請求項１に記載の切削インサートであって、
前記鼻状のコーナーの各々が、円弧、一連の円弧及び多区分スプライン曲線のうちの少なくとも１つを含んでいる切削インサート。
【請求項４】
請求項１に記載の切削インサートであって、
第一の円錐形のクリアランス面の各々が、前記曲線状の切り刃領域から底部の端縁まで延びている切削インサート。
【請求項５】
請求項１に記載の切削インサートであって、
前記曲線状の切り刃領域の半径が、前記頂面に内接することができる最も大きな円の半径の５倍より大きいか又は等しい半径を有している切削インサート。
【請求項６】
請求項１に記載の切削インサートであって、
前記側面の各々が、更に、前記曲線状の切り刃領域に隣接した位置から前記底部端縁まで延びている平らなクリアランス面を備えており、当該平らなクリアランス面が第一の平らなファセットから前記底部端縁に向かって延びている、切削インサート。
【請求項７】
請求項６に記載の切削インサートであって、
前記底面の外周が前記頂面の外傷よりも小さい、切削インサート。
【請求項８】
請求項７に記載の切削インサートであって、
前記曲線状の切り刃領域の各々の半径が、前記頂面に内接することができる最も大きな円の半径の５倍より大きいか又は等しい切削インサート。
【請求項９】
請求項１に記載の切削インサートであって、
凸状の切り刃の各々が、前記第一のほぼ直線状の切り刃領域と鼻状のコーナーとの間に第二のほぼ直線状の切り刃領域を更に含み、
側面の各々が、第二のほぼ直線状の切り刃領域から前記底部端縁へと延びている第二の平らなファセットを更に含んでいる、切削インサート。
【請求項１０】
請求項９に記載の切削インサートであって、
側面の各々が、前記曲線状の切り刃領域に隣接した位置から前記底部端縁へと延びている平らなクリアランス面を更に含んでおり、当該平らなクリアランス面は、前記第一の平らなファセット及び第二の平らなファセットのうちの少なくとも１つから前記底部端縁へと延びている、切削インサート。
【請求項１１】
請求項９に記載の切削インサートであって、
凸状切り刃の各々が、第二のほぼ直線状の切り刃領域と鼻状のコーナーとの間に第三のほぼ直線状の切り刃領域を更に含み、
側面の各々が、第三のほぼ直線状の切り刃領域から前記底部端縁へと延びている第三の平らなファセットを更に含んでいる、切削インサート。
【請求項１２】
請求項１１に記載の切削インサートであって、
側面の各々が、前記曲線状の切り刃領域に隣接した位置から前記底部端縁へと延びている平らなクリアランス面を更に含んでおり、当該平らなクリアランス面は、前記第一の平らなファセット、第二の平らなファセット及び第三の平らなファセットのうちの少なくとも１つから前記底部端縁へと延びている、切削インサート。
【請求項１３】
請求項１に記載の切削インサートであって、
凸状の切り刃の各々が、楕円の一部、放物線の一部及び多区分スプライン曲線のうちの少なくとも１つを更に含んでいる切削インサート。
【請求項１４】
請求項１に記載の切削インサートであって、
前記頂面上にチップ破壊用の幾何学的構造を更に含んでいる、切削インサート。
【請求項１５】
請求項１に記載の切削インサートであって、
凸状切り刃の各々が前記底面に平行である、切削インサート。
【請求項１６】
切削インサートポケットを備えているカッター本体と、
前記切削インサートポケット内に位置決めされて固定されている切削インサートと、を備え、当該切削インサートが、
４つの同一の凸状切り刃と、これらの凸状切り刃を結合している４つの同一の鼻状コーナーとを含む頂面であって、前記凸状切り刃の各々が曲線状の切り刃領域と当該曲線状の切り刃領域に隣接した第一のほぼ直線状の切り刃領域とを含み、前記曲線の各々の半径が当該頂面に内接する最も大きな円の半径の２倍に等しいか又はより大きいようになされている前記頂面と、
底部端縁を含んでいる底面と、
４つの同一の側面であって、当該側面の各々が前記凸状の切り刃と前記底部端縁との間に延びており、各側面が、
前記曲線状の切り刃領域から前記底部端縁に向かって延びている第一の円錐形のクリアランス面と、
第一のほぼ直線状の切り刃領域から前記底部端縁に向かって延びている第一の平らなファセットとを含んでいる、前記側面と、
前記鼻状コーナーの各々から前記底部端縁に向かって延びている第二の円錐形のクリアランス面と、を含んでいる、フライス加工工具であって、
前記切削インサートが前記切削インサートポケット内に位置決めされて固定されたときに、前記第一のほぼ直線状の切り刃領域が当該フライス加工工具の切削軸線に対してほぼ直角な方向に延びるようになされた、フライス加工工具。
【請求項１７】
請求項１６に記載のフライス加工工具であって、
前記切削インサートの底面の外周が前記切削インサートの頂面の外周よりも小さい、フライス加工工具。
【請求項１８】
請求項１６に記載のフライス加工工具であって、
前記切削インサートの鼻状のコーナーの各々が、円弧、一連の円弧及び多区分スプライン曲線のうちの少なくとも１つを含んでいるフライス加工工具。
【請求項１９】
請求項１６に記載のフライス加工工具であって、
前記切削インサートの第一の円錐形のクリアランス面の各々が、前記曲線状の切り刃領域から前記底部端縁まで延びている、フライス加工工具。
【請求項２０】
請求項１６に記載のフライス加工工具であって、
前記切削インサートの曲線状の切り刃領域の各々の半径が、前記切削インサートの頂面に内接することができる最も大きな円の半径の５倍より大きいか又は等しいフライス加工工具。
【請求項２１】
請求項１６に記載のフライス加工工具であって、
前記切削インサートの側面の各々が、前記曲線状の切り刃領域に隣接した位置から前記切削インサートの底部端縁へと延びている平らなクリアランス面を更に含んでおり、当該平らなクリアランス面は、前記第一の平らなファセットから前記切削インサートの底部端縁へと延びている、切削インサート。
【請求項２２】
請求項２１に記載のフライス加工工具であって、
前記切削インサートの底面の外周が前記切削インサートの頂面の外周よりも小さい、フライス加工工具。
【請求項２３】
請求項２２に記載のフライス加工工具であって、
前記切削インサートの曲線状の切り刃領域の各々の半径が、前記切削インサートの頂面に内接することができる最も大きな円の半径の５倍より大きいか又は等しい、フライス加工工具。
【請求項２４】
請求項１６に記載のフライス加工工具であって、
前記切削インサートの凸状切り刃の各々が、第一のほぼ直線状の切り刃領域と前記切削インサートの鼻状のコーナーとの間に第二のほぼ直線状の切り刃領域を更に含み、
前記切削インサートの側面の各々が、前記第二のほぼ直線状の切り刃領域から前記底部端縁へと延びている第二の平らなファセットを更に含んでいる、フライス加工工具。
【請求項２５】
請求項２４に記載のフライス加工工具であって、
前記切削インサートの側面の各々が、前記曲線状の切り刃領域に隣接した位置から前記底部端縁へと延びている平らなクリアランス面を更に含んでおり、当該平らなクリアランス面は、前記第一の平らなファセットと前記第二の平らなファセットとのうちの少なくとも１つから前記切削インサートの底部端縁へと延びている、フライス加工工具。
【請求項２６】
請求項２４に記載のフライス加工工具であって、
前記切削インサートの凸状の切り刃の各々が、第三のほぼ直線状の切り刃領域を更に含み、
前記切削インサートの側面の各々が、第三のほぼ直線状の切り刃領域から前記底部端縁へと延びている第三の平らなファセットを更に含んでいる、フライス加工工具。
【請求項２７】
請求項２６に記載のフライス加工工具であって、
前記切削インサートの側面の各々が、前記曲線状の切り刃領域に隣接した位置から前記底部端縁へと延びている平らなクリアランス面を更に含んでおり、当該平らなクリアランス面は、前記第一の平らなファセットと第二の平らなファセットと第三の平らなファセットとのうちの少なくとも１つから前記切削インサートの底部端縁へと延びている、フライス加工工具。
【請求項２８】
請求項１６に記載のフライス加工工具であって、
前記切削インサートの凸状の切り刃の各々が、楕円の一部、放物線の一部及び多区分スプライン曲線のうちの少なくとも１つを更に含んでいる、フライス加工工具。
【請求項２９】
請求項１６に記載のフライス加工工具であって、
前記切削インサートの頂面上にチップ破壊用の幾何学的構造を更に含んでいる、フライス加工工具。
【請求項３０】
請求項１６に記載のフライス加工工具であって、
前記切削インサートの凸状切り刃の各々が前記切削インサートの底面に平行である、フライス加工工具。
【請求項３１】
請求項１６に記載のフライス加工工具であって、
前記カッター本体が複数の切削インサートポケットを備えており、当該切削インサートのうちの一つが前記切削インサートポケットの各々の中位置決めされて固定されている、フライス加工工具。